【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
支持体上に少なくとも１層のハロゲン化銀写真乳剤層を含有するハロゲン化銀写真感光材料において、下記一般式（Ｉ）で表されるメチン色素を少なくとも１種と下記一般式（Ｘ）で表されるカプラーを少なくとも１種含有することを特徴とするハロゲン化銀写真感光材料。
一般式（Ｉ）
【化１】
2003172994.tif 000001
式（Ｉ）中、Ｘ1およびＸ2は酸素原子、硫黄原子、セレン原子、テルル原子、窒素原子、炭素原子を表す。Ｙ1は他の５〜６員の炭素環または複素環と縮合していても置換基を有していてもよいフラン環またはピロール環、あるいはチオフェン環を表す。Ｙ2はベンゼン環または５〜６員の不飽和複素環を形成するのに必要な原子群を表し、さらに他の５〜６員の炭素環または複素環と縮合していても置換基を有していてもよい。なお、Ｙ1およびＹ2が縮環している２つの炭素原子の間の結合は、１重結合であっても２重結合であってもよい。Ｒ1およびＲ2は置換もしくは無置換の、アルキル基、アリール基、または複素環基を表す。Ｌ1、Ｌ2およびＬ3はそれぞれメチン基を表し、ｎ1は０または１を表す。Ｍ1は対イオンを表し、ｍ1は分子中の電荷を中和させるために必要な０以上の数を表す。
一般式（Ｘ）
【化２】
2003172994.tif 000002
式（Ｘ）中、Ｚ1、Ｚ2は−Ｃ（Ｑ3）＝または−Ｎ＝を表し、Ｑ1、Ｑ3は水素原子または１価の置換基を表し、Ｑ2は水素原子またはカップリング脱離基を表す。Ｑ1、Ｑ2またはＱ3が２価の基になり２量体以上の多量体や高分子鎖と結合して単重合体もしくは共重合体を形成してもよい。
【請求項２】
支持体上に少なくとも１層のハロゲン化銀写真乳剤層を含有するハロゲン化銀写真感光材料において、前記一般式（Ｉ）で表されるメチン色素を少なくとも１種と下記一般式（XX）で表されるカプラーを少なくとも１種含有することを特徴とするハロゲン化銀写真感光材料。
一般式（XX）
【化３】
2003172994.tif 000003
式（XX）中、Ｑ5は置換または無置換のアリール基、Ｑ6は置換または無置換のアルキル基を表す。Ｑ7は水素原子、ハロゲン原子、アルコキシ基、またはアルキル基を表す。Ｘは水素原子、または現像主薬の酸化体との反応で離脱する基を表す。
【請求項３】
前記一般式（Ｉ）で表されるメチン色素が下記一般式（II）、（III）、（IV）または（Ｖ）で表されることを特徴とする請求項１または２に記載のハロゲン化銀写真感光材料。
一般式（II）
【化６９】
2003172994.tif 000004
式（II）中、Ｙ11は酸素原子、硫黄原子またはＮ−Ｒ13を表し、Ｒ13は水素原子またはアルキル基を表す。Ｖ15およびＶ16は水素原子または１価の置換基を表す。Ｘ11およびＸ12は酸素原子または硫黄原子を表す。Ｒ11およびＲ12は酸基で置換されたアルキル基を表す。Ｖ11、Ｖ12、Ｖ13およびＶ14は水素原子または１価の置換基を表す。Ｍ11は対イオンを表し、ｍ11は分子中の電荷を中和させるために必要な０以上の数を表す。
一般式（III）
【化７０】
2003172994.tif 000005
式（III）中、Ｙ21は酸素原子、硫黄原子またはＮ−Ｒ23を表し、Ｒ23は水素原子またはアルキル基を表す。Ｖ25およびＶ26は水素原子または１価の置換基を表す。Ｘ21およびＸ22は酸素原子または硫黄原子を表す。Ｒ21およびＲ22は酸基で置換されたアルキル基を表す。Ｖ21、Ｖ22、Ｖ23およびＶ24は水素原子または１価の置換基を表す。Ｍ21は対イオンを表し、ｍ21は分子中の電荷を中和させるために必要な０以上の数を表す。
一般式（IV）
【化７１】
2003172994.tif 000006
式（IV）中、Ｙ31は酸素原子、硫黄原子またはＮ−Ｒ33を表し、Ｒ33は水素原子またはアルキル基を表す。Ｖ35およびＶ36は水素原子または１価の置換基を表す。Ｘ31およびＸ32は酸素原子または硫黄原子を表す。Ｒ31およびＲ32は酸基で置換されたアルキル基を表す。Ａ31はメチル基、エチル基またはプロピル基を表し、Ｖ31、Ｖ32、Ｖ33およびＶ34は水素原子または１価の置換基を表す。Ｍ31は対イオンを表し、ｍ31は分子中の電荷を中和させるために必要な０以上の数を表す。
一般式（Ｖ）
【化７２】
2003172994.tif 000007
式（Ｖ）中、Ｙ41は酸素原子、硫黄原子またはＮ−Ｒ43を表し、Ｒ43は水素原子またはアルキル基を表す。Ｖ45およびＶ46は水素原子または１価の置換基を表す。Ｘ41およびＸ42は酸素原子または硫黄原子を表す。Ｒ41およびＲ42は酸基で置換されたアルキル基を表す。Ａ41はメチル基、エチル基またはプロピル基を表し、Ｖ41、Ｖ42、Ｖ43およびＶ44は水素原子または１価の置換基を表す。Ｍ41は対イオンを表し、ｍ41は分子中の電荷を中和させるために必要な０以上の数を表す。
【請求項４】
前記一般式（Ｘ）で表されるカプラーが下記一般式（XI）または（XII）で表されることを特徴とする請求項１に記載のハロゲン化銀写真感光材料。
一般式（XI）
【化７３】
2003172994.tif 000008
式（XI）中、Ｑ11はアルキル基を表し、Ｑ12は水素原子またはハロゲン原子を表し、Ｑ13は−ＳＯ2−を含有する置換基を表す。
一般式（XII）
【化７４】
2003172994.tif 000009
式（XII）中、Ｑ21はアルキル基を表し、Ｑ22は水素原子またはハロゲン原子を表し、Ｑ23は−ＳＯ2−を含有する置換基を表す。
【請求項５】
支持体上に少なくとも１層のハロゲン化銀写真乳剤層を含有する請求項１記載のハロゲン化銀写真感光材料において、前記一般式（II）、（III）、（IV）または（Ｖ）で表されるメチン色素を少なくとも１種と前記一般式（XII）で表されるカプラーを少なくとも１種含有することを特徴とする請求項１記載のハロゲン化銀写真感光材料。
【請求項６】
請求項５記載のハロゲン化銀写真感光材料において、前記一般式（II）、（III）、（IV）または（Ｖ）で表されるメチン色素の（Ｒ11、Ｒ21、Ｒ31またはＲ41）と（Ｒ12、Ｒ22、Ｒ32またはＲ42）の一方はカルボキシル基、−ＣＯＮＨＳＯ2−基、−ＳＯ2ＮＨＣＯ−基、−ＣＯＮＨＣＯ−基、−ＳＯ2 ＮＨＳＯ2−基が置換したアルキル基であり、他方はスルホ基で置換されたアルキル基であることを特徴とする請求項５に記載のハロゲン化銀写真感光材料。
【請求項７】
支持体上に少なくとも１層のハロゲン化銀写真乳剤層を含有する請求項２記載のハロゲン化銀写真感光材料において、前記一般式（II）、（III）、（IV）または（Ｖ）で表されるメチン色素を少なくとも１種と前記一般式（XX）で表されるカプラーを少なくとも１種含有することを特徴とする請求項２記載のハロゲン化銀写真感光材料。
【請求項８】
請求項７記載のハロゲン化銀写真感光材料において、前記一般式（II）、（III）、（IV）または（Ｖ）で表されるメチン色素の（Ｒ11、Ｒ21、Ｒ31またはＲ41）と（Ｒ12、Ｒ22、Ｒ32またはＲ42）の一方はカルボキシル基、−ＣＯＮＨＳＯ2−基、−ＳＯ2ＮＨＣＯ−基、−ＣＯＮＨＣＯ−基、−ＳＯ2 ＮＨＳＯ2−基が置換したアルキル基であり、他方はスルホ基で置換されたアルキル基であることを特徴とする請求項７に記載のハロゲン化銀写真感光材料。